(57)【要約】      （修正有）【課題】書類を両面スキャンできる機能を持つ自動フィーダー装置を提供する。【解決手段】スキャンモジュール２０７と、紙取り用のロール２０２と、第一アウトプットロールセット２０３と、第二アウトプットロールセット２０４と、第一チャネル２０８と、第二チャネル２０９と、第三チャネル２１０と、インプットトレー２０１と、第一アウトプットトレー２０５と、第二アウトプットトレー２０６とを含む。第一アウトプットトレー２０５を逆転区にし、且つスキャンモジュール２０７を自動フィーダー装置に設置することにより、自動フィーダー装置がプラットフォームのスキャナーを合わせず使用するため、プラットフォームのスキャナーの空間を除去し両面スキャナー装置の体積を縮小することが可能である。【選択図】図２
2007325244.tif 000002
【特許請求の範囲】
【請求項１】
両面のスキャンする機能を持つ自動フィーダー装置であって、
スキャンする領域にスキャンする書類の映像をスキャンするためのスキャンモジュールと、
前記スキャンモジュールの一側に位置し、前記スキャンする書類を放置するためのトレーと、
前記インプットトレーの上に位置し、前記スキャンする書類を放置するための第一アウトプットトレーと、
前記スキャンモジュールの他側に位置し、前記スキャンする書類を放置するための第二アウトプットトレーと、
前記インプットトレーと前記スキャンする領域の間に位置する第一チャネルと、
前記スキャンする領域と前記第一アウトプットトレーの間に位置する第二チャネルと、
前記第一アウトプットトレーと前記第二アウトプットトレーの間に位置し、前記スキャンする領域を通過する第三チャネルと、
スキャンする書類を前記インプットトレーから前記第一チャネルに送る紙取り用のロールと、
スキャンする書類を前記第三チャネル或いは第一アウトプットトレーに送る第一アウトプットロールセットと、
スキャンする書類を前記第二チャネル或いは第二アウトプットトレーに送る第二アウトプットロールセットとを含むことを特徴とする両面のスキャン機能を持つ自動フィーダー装置。
【請求項２】
前記第一アウトプットロールセットはロールの回転方向を可変することにより、スキャンする書類を第一アウトプットトレー或いは前記第三チャネルに送る第一アクチブロールと、第一パッシブロールとを含むことを特徴とする、請求項1に記載の両面のスキャン機能を持つ自動フィーダー装置。
【請求項３】
前記第二アウトプットロールセットはロールの回転方向を可変することにより、スキャンする書類を第二アウトプットトレー或いは前記第二チャネルに送る第二アクチブロールと、第二パッシブロールとを含むことを特徴とする、請求項１に記載の両面のスキャン機能を持つ自動フィーダー装置。
【発明の詳細な説明】
【技術分野】
【０００１】
本発明は自動フィーダー装置に関し、特に両面をスキャンする機能を持つ自動フィーダー装置である。
【背景技術】
【０００２】
両面スキャナー装置は、両面の書類の映像をスキャンするのに用いられる。一般的に両面スキャナー装置にはプラットフォームのスキャナーと、前記プラットフォーム上に設置される自動フィーダー装置とを含む。従来の両面スキャナー装置は２種類あり、第一種はプラットフォームのスキャナー内に設置されるスキャンモジュールにより書類の一面をスキャンし、自動フィーダー装置内に設置されるスキャンモジュールが同時に書類の他面をスキャンする。もう一種はプラットフォームのスキャナー内のみに設置されるスキャンモジュールにより両面をスキャンする。
【０００３】
第二種の両面スキャナー装置と比べ、第一種の両面スキャナー装置のスキャン速度は速いが、２個のスキャンモジュールが必要であるため、コストの点から見ると、普通は第二種の両面スキャナー装置より高くなる。しかしながら、第二種の両面スキャナー装置は単一のスキャンモジュールのみであるため、書類はスキャンする領域を３回通過して（スリーパスと称する）、両面のスキャン動作を完成する。第二種の両面スキャナー装置において、書類が一回目にスキャンする領域を通過するときに、スキャンモジュールは書類の第一面をスキャンし、書類が２回目にスキャンする領域を通過するときに、スキャンモジュールは書類の第二面をスキャンし、後に、書類は３回目にスキャンする領域を通過し（このとき、スキャンモジュールはストップする）、書類が両面をスキャンした後、スキャンする前の元の配列順序に戻る。
【０００４】
図１は、単一スキャンモジュールを持つ前記第二種の両面スキャナー装置の概略図である。同図において、両面スキャナー装置１００が両面をスキャンすると、自動フィーダー装置１０１はインプットトレー１０２のスキャンされる書類１１１が第一チャネル１０４に置かれ、さらに書類１１１は第一チャネル１０４から第二チャネル１０６を経てスキャンする領域１０７に入り、スキャンモジュールはスキャンする領域１０７で書類の第一面の映像を読み取り、この後、書類１１１は第三チャネル１０８とガイド棒１０９を通過し逆転区１１２に入り、ガイド棒１０９はチャネルを開けることにより書類１１１が逆転区１１２或いはアウトプットトレー１０３に入る。逆転区１１２に、書類１１１がガイド棒１０９を通過し開かれる第四チャネル１１０に送られる際に、再び第二チャネル１０６に入ってスキャンする領域１０７まで来る。
スキャンする領域１０７で、スキャンモジュール１０５は書類１１１の第二面のスキャンを行い、スキャンした書類１１１が第三チャネル１０８とガイド棒１０９を通過し、さらに逆転区１１２に入り、その後、逆転区１１２における書類１１１がガイド棒１０９を通過し、開かれた第四チャネル１１０、第二チャネル１０６、スキャン領域１０７と第三チャネル１０に送られ、且つ、スキャンモジュール１０５は書類１１１をスキャンせず、最後に、ガイド棒１０９はアウトプットトレー１０３へのチャネルを開き、書類１１１をアウトプットトレー１０３に送る。
【０００５】
以上の記述のように、従来の単一のスキャンモジュールを持つ両面スキャナー装置は自動フィーダー装置とプラットフォームのスキャナーからなり、且つ、プラットフォームのスキャナーに設置されるスキャンモジュールにより両面をスキャンしなければならない。つまり、前記従来の自動フィーダー装置は単体では動かせなく、プラットフォームのスキャナーで両面スキャナー装置の機能を発揮させる必要がある。
【０００６】
このほかに、このような従来の両面スキャナー装置は本体の長さを短くすることができないという問題がある。図１を参照すると、図１の両面スキャナー装置において、両面をスキャンするのは自動フィーダー装置１０１により書類がスキャン領域１０７を通過し、スキャンモジュール１０５がスキャン領域１０７にあるウィンドウでスキャンし完成する。フィーダー式の両面のスキャンをするために、プラットフォームのスキャナーの内に保留領域１２０が必要であり、スキャンモジュール１０５がスキャン領域１０７を通過する書類を読取る位置まで移動できる。図１の両面スキャナー装置はプラットフォームのスキャナーに設置されるスキャンモジュールによりスキャンしなければならないため、保留領域１２０を設置する。そうすると、両面スキャナー装置１００の長さを短くすることはできない。
【発明の開示】
【発明が解決しようとする課題】
【０００７】
本発明は両面スキャンする機能を持つ自動フィーダー装置を提供することを目的とする。
【０００８】
好ましい実施例において、本発明は両面スキャンする機能を持つ自動フィーダー装置を提供する。それは、スキャンする領域にスキャンする書類の映像をスキャンするためのスキャンモジュールと、
前記スキャンモジュールの一側に位置し、前記スキャンする書類を放置するためのトレーと、
前記インプットトレーの上に位置し、前記スキャンする書類を放置するための第一アウトプットトレーと、
前記スキャンモジュールの他側に位置し、前記スキャンする書類を放置するための第二アウトプットトレーと、
前記インプットトレーと前記スキャンする領域の間に位置する第一チャネルと、
前記スキャンする領域と前記第一アウトプットトレーの間に位置する第二チャネルと、
前記第一アウトプットトレーと前記第二アウトプットトレーの間に位置し、前記スキャンする領域を通過する第三チャネルと、
スキャンする書類を前記インプットトレーから前記第一チャネルに送る紙取り用のロールと、
スキャンする書類を前記第三チャネル或いは第一アウトプットトレーに送る第一アウトプットロールセットと、
スキャンする書類を前記第二チャネル或いは第二アウトプットトレーに送る第二アウトプットロールセットとを含む。
【０００９】
好ましい実施例では第一アウトプットロールセットはロールの回転方向を可変することにより、スキャンする書類が第一アウトプットトレー或いは前記第三チャネルに送る第一アクチブロールと、第一パッシブロールを含む。
【００１０】
好ましい実施例では第二アウトプットロールセットはロールの回転方向を可変することにより、スキャンする書類が第二アウトプットトレー或いは前記第二チャネルに送る第二アクチブロールと、第二パッシブロールを含む。
【発明を実施するための最良の形態】
【００１１】
図２は、本発明に係る好ましい実施例を示す概略図である。図２において、両面スキャンする機能を持つ自動フィーダー装置２００はインプットトレー２０１、紙取り用のロール２０２、第一アウトプットロールセット２０３、第二アウトプットロールセット２０４、第一アウトプットトレー２０５、第二アウトプットトレー２０６、スキャンモジュール２０７、第一チャネル２０８、第二チャネル２０９と第三チャネル２１０を含み、アウトプットロールセット２０３にパッシブロール２０３１とアクチブロール２０３２をさらに含み、第二アウトプットロールセット２０４、パッシブロール２０４１とアクチブロール２０４２をさらに含む。
【００１２】
図２を参照すると、これは本発明に係る一面をスキャンする際の好ましい実施例の概略図である。図２において、自動フィーダー装置２００が一面をスキャンする場合は、紙取り用のロール２０２はスキャンする書類２２０をインプットトレー２０１から第一チャネル２０８に送ってスキャン領域２１１に入り、スキャン領域２１１において、スキャンモジュール２０７によりスキャンする書類２２０をスキャンし、後に、第二アウトプットロールセット２０４によりスキャンする書類２２０を第二チャネル２０９に送る。このとき、第二アウトプットロールセット２０４における第二アクチブロール２０４２は時計回りの方向に回転すると共に、第二パッシブロール２０４１を連動し左回りの方向へ回転させ、書類２２０が第一アウトプットロールセット２０３まで来ると、第一アウトプットロールセット２０３における第一アクチブロール２０３２が時計回りの方向に回転すると共に、第一パッシブロール２０３１を連動し、第一パッシブロール２０３１が左回りの方向に回転することにより、書類２２０を第一アウトプットトレー２０５に送り、ここで第一ページの書類のスキャンが完了する。書類２２０の第二ページ乃至最後の１ページをスキャンするのは前記と同じステップと経路によりスキャンを行い、スキャンされた書類２２０は第一アウトプットトレー２０５にスタックされ、且つ、配列の順番は元の配列の順番と同じである。
【００１３】
図２を参照すると、これは本発明に係る両面をスキャンする際の好ましい実施例を示す概略図である。図２において、自動フィーダー装置２００が書類２２０の両面をスキャンすると、紙取り用のロール２０２は書類２２０をインプットトレー２０１から第一チャネル２０８に送って書類２２０がスキャン領域２１１に入る。スキャンモジュール２０７がスキャン領域２１１において、書類２２０の第一面の映像を読取った後、書類２２０は第二アウトプットロールセット２０４により第二チャネル２０９に送られ、このとき、第二アウトプットロールセット２０４における第二パッシブロール２０４１は左回りの方向に回転し、書類２２０が第一アウトプットロールセット２０３に送られると、第一アウトプットロールセット２０３のうちの第一パッシブロール２０３１の左回りの方向の回転により書類２２０が第一アウトプットトレー２０５に入れられる。
【００１４】
続いて図２を参照すると、両面をスキャンするとき、書類２２０の殆どが第一アウトプットトレー２０５に入るが、書類２２０の末端が第一アウトプットトレー２０５に挟まれる。次に第一アウトプットロールセット２０３のうちの第一パッシブロール２０３１は時計回りの方向となり、第一アウトプットトレー２０５のうちの書類２２０を第三チャネル２１０に送ってスキャン領域２１１に入る。スキャンモジュール２０７が書類２２０の第二面の映像を読取ることができる。この時、第二アウトプットロールセット２０４における第二パッシブロール２０４１を時計回りに回転させることにより、書類２２０の両面のスキャンが完了し、第二アウトプットトレー２０６に送られる。同じように、残りの書類２２０の両面をスキャンするのは前記と同じステップによりスキャンされた書類２２０の配列順番は元の配列順番と同じである。
【００１５】
以上の記述のように、本発明に係る自動フィーダー装置は２回スキャンすれば（ツゥパスと称する）両面をスキャンすることができると共に、元の配列順番と同じであり、従来の両面のスキャナー装置（スリーパス）よりも本発明の書類が送られる回数は一回少なく、顕著に従来の両面スキャナー装置の時間を少なくする。
【００１６】
他に、本発明に係る自動フィーダー装置は多様化の応用タイプを持つ。例えば、本発明に係る自動フィーダー装置において、モーターと回路基板などの装置を設けると、本発明に係る自動フィーダー装置が単一タイプ用のフィーダーの回路基板などの装置となり、即ち、プラットフォームのスキャナーを合わせず独立に仕事するようになる。或いは、本発明に係る自動フィーダー装置はプラットフォームのスキャナー上に取り付けられ、しかし、両面のスキャナーの映像の読み取りが自動フィーダー装置内のスキャンモジュールにより完成され、プラットフォームのスキャナー内のスキャンモジュールを使用する必要がないため、従来の保留区１２０のスペース（図１を参照する）が不要となり体積の長さを短くする。ほかに、インプットトレーと２個のアウトプットトレーは折畳みタイプもしくは伸縮タイプに設計可能で、より多くのスペースの節約となる。また、本発明に係る自動フィーダー装置はプリンターにも使用でき、両面のスキャナー機能を持つ多機能の事務機器を提供する。
【００１７】
以上の記述は本発明の好ましい実施例にすぎなく、本発明の請求項に限定されるものではない。また、本願の技術思想は他に類似するテストシステムに汎用できるため、本発明の記載する精神から逸脱されていない等価の完成品は共に本発明の請求項の範囲に属する。
【図面の簡単な説明】
【００１８】
【図１】従来に係る両面のスキャナー装置を示す概略図である。
【図２】本発明に係る両面のスキャナー装置の好ましい実施例を示す概略図である。
【符号の説明】
【００１９】
１００                    スキャナー
１０１、２００            自動フィーダー装置
１０２、２０１            インプットトレー
１１２                    逆転区
１１３                    ガラスプラットフォーム
１２０                    保留区
１０３、２０５、２０６    アウトプットトレー
２０２                    紙取り用のロール
２０３、２０４            アウトプットロールセット
１０４、１０６、１８０、１１０  チャネル
１０５、２０７            スキャンモジュール
２０３１、２０４１        パッシブロール
１０７、２１１            スキャンする領域
２０３２、２０４２        アクチブロール
１０９                    ガイド棒
２０８、２０９、２１０    チャネル
１１１、２２０            スキャンする書類
【図１】
2007325244.tif 000003
【図２】
2007325244.tif 000004